(57)【要約】【課題】就寝時において寝返りをしやすくすることができる枕を提供する。【解決手段】一実施形態に係る枕は、第１方向Ｄ１に延びる一対の長辺２と、第１方向Ｄ１に交差する第２方向Ｄ２に延びる一対の短辺３とを有する直方体状とされた側地を備えており、側地の内側の内部空間に内容物が収容される枕であって、内部空間を仕切る複数の仕切部３０を備え、複数の仕切部３０は、第１短辺３ｂから第２短辺３ｃまで延びる第１仕切部３１と、第１仕切部３１から第１長辺２ｂまで延びると共に、第１方向Ｄ１に沿って並ぶ一対の第２仕切部３２と、を含んでおり、第１仕切部３１は、側地１０の第１方向Ｄ１の中央に向かうに従って側地１０の第２方向Ｄ２の中央側に湾曲しており、一対の第２仕切部３２のそれぞれは、第１仕切部３１から離れるに従って側地１０の第１方向Ｄ１の両端側に向かって斜めに傾斜している。【選択図】図５
2020115996.tif 000002
【特許請求の範囲】
【請求項１】
第１方向に延びる一対の長辺と、前記第１方向に交差する第２方向に延びる一対の短辺とを有する直方体状とされた側地を備えており、前記側地の内側の内部空間に内容物が収容される枕であって、
前記内部空間を仕切る複数の仕切部を備え、
前記複数の仕切部は、
前記一対の短辺のうちの一方の短辺から他方の短辺まで延びる第１仕切部と、
前記第１仕切部から前記一対の長辺のうちの一方の長辺である第１長辺まで延びると共に、前記第１方向に沿って並ぶ一対の第２仕切部と、を含んでおり、
前記第１仕切部は、前記側地の前記第１方向の中央に向かうに従って前記側地の前記第２方向の中央側に湾曲しており、
前記一対の第２仕切部のそれぞれは、前記第１仕切部から離れるに従って前記側地の前記第１方向の両端側に向かって斜めに傾斜している、
枕。
【請求項２】
前記内部空間は、前記一対の第２仕切部のそれぞれの前記第１方向の両端側に位置する一対の第１内部空間と、前記一対の第１内部空間の間に位置する第２内部空間と、を含んでおり、
前記内容物は、
各前記第１内部空間に収容される柔軟性素材と、
前記第２内部空間において前記側地の表面の裏側に接触し、前記柔軟性素材よりも硬いシート材と、を含む、
請求項１に記載の枕。
【請求項３】
前記シート材は、前記側地の表面の裏側に接触するメッシュ材を含む、
請求項２に記載の枕。
【請求項４】
前記内部空間は、前記一対の第１内部空間の下側、及び前記第２内部空間の下側に位置する第３内部空間を含んでおり、
前記内容物は、前記第３内部空間に収容される粒状体を含む、
請求項２又は３に記載の枕。
【発明の詳細な説明】
【技術分野】
【０００１】
本開示は、使用者の頭部及び首が載せられる枕に関する。
【背景技術】
【０００２】
特開２０１７−２９２４７号公報には、寝返りを促す枕が記載されている。この枕は、中央に位置する後頭部中央位置領域と、首が載置される後頭部下部位置領域と、後頭部中央位置領域の後頭部下部位置領域との反対側に設けられる後頭部上部位置領域と、長手方向の左側に位置する左側領域と、長手方向の右側に位置する右側領域とを有する。後頭部中央位置領域、後頭部下部位置領域、後頭部上部位置領域、左側領域、及び右側領域は、枕の内部空間において互いに仕切られている。
【０００３】
後頭部中央位置領域には、樹脂連続発泡体が収容されたフィルム袋と、フィルム袋の上部に位置する樹脂綿層とが設けられる。後頭部下部位置領域、後頭部上部位置領域、左側領域及び右側領域のそれぞれには樹脂発泡体のチップが収容されている。後頭部中央位置領域と後頭部下部位置領域との間、及び後頭部中央位置領域と後頭部上部位置領域との間、のそれぞれには仕切部が設けられている。これらの仕切部は、枕の長手方向に沿って延びている。
【０００４】
また、後頭部中央位置領域、後頭部下部位置領域及び後頭部上部位置領域を含む中央部と左側領域との間には仕切部が設けられており、中央部と右側領域との間にも仕切部が設けられている。これらの仕切部のそれぞれは、枕の幅方向に沿って延びており、枕の長手方向に対して直交する方向に延びている。
【先行技術文献】
【特許文献】
【０００５】
【特許文献１】特開２０１７−２９２４７号公報
【発明の概要】
【発明が解決しようとする課題】
【０００６】
前述した枕は、枕の内部空間を仕切る複数の仕切部を備えており、複数の仕切部のそれぞれは枕の長手方向又は枕の幅方向に延在している。ところで、枕を使用する使用者は、枕において寝返りを打つときに首を中心として円弧状に頭部を動かすことが多い。すなわち、寝返り時において、使用者の頭部は使用者の首を中心とした円弧状の軌跡に沿って移動する。
【０００７】
従って、前述した枕のように仕切部が枕の長手方向又は枕の幅方向に延在する場合には、仕切部が延在する方向が円弧状の頭部及び首の移動軌跡から大きくずれる。よって、寝返り時に頭部及び首が仕切部を交差する頻度が高い。また、仕切部は、マチと称される布が内蔵されていることが多く、他の部分より硬いことが多い。従って、寝返り時に頭部及び首が硬い仕切部を交差する頻度が高いので、寝返り時に頭部及び首を圧迫する頻度が高いという問題がある。よって、就寝時における寝返りのしやすさの点において改善の余地がある。
【０００８】
本開示は、就寝時において寝返りをしやすくすることができる枕を提供することを目的とする。
【課題を解決するための手段】
【０００９】
本開示に係る枕は、第１方向に延びる一対の長辺と、第１方向に交差する第２方向に延びる一対の短辺とを有する直方体状とされた側地を備えており、側地の内側の内部空間に内容物が収容される枕であって、内部空間を仕切る複数の仕切部を備え、複数の仕切部は、一対の短辺のうちの一方の短辺から他方の短辺まで延びる第１仕切部と、第１仕切部から一対の長辺のうちの一方の長辺である第１長辺まで延びると共に、第１方向に沿って並ぶ一対の第２仕切部と、を含んでおり、第１仕切部は、側地の第１方向の中央に向かうに従って側地の第２方向の中央側に湾曲しており、一対の第２仕切部のそれぞれは、第１仕切部から離れるに従って側地の第１方向の両端側に向かって斜めに傾斜している。
【００１０】
この枕は、第１方向に延びる一対の長辺、及び第２方向に延びる一対の短辺を有する直方体状の側地を備え、側地の内部空間に内容物が収容される。また、この枕は、枕の内部空間を仕切る複数の仕切部を備える。複数の仕切部は、一対の短辺の一方から他方まで第１方向に延びる第１仕切部と、第１仕切部から第１長辺に向かって延びると共に第１方向に沿って並ぶ一対の第２仕切部とを含む。そして、第１仕切部は第１方向の中央に向かうに従って第２方向の中央側に湾曲しており、各第２仕切部は第１仕切部から離れるに従って第１方向の両端側に傾斜している。よって、第１仕切部の第１長辺側に使用者の頭部が載せられて、第１仕切部の第１長辺との反対側に使用者の首が載せられると、寝返りを打つときに使用者の頭部及び首は曲線状の第１仕切部に沿って円弧状に移動する。すなわち、第１仕切部は頭部及び首の移動軌跡に沿って設けられる。その結果、寝返り時に頭部及び首が硬い第１仕切部を交差する頻度を減らすと共に第１仕切部に沿って頭部及び首が移動するので、頭部及び首への圧迫を抑えて就寝時における寝返りをしやすくすることができる。また、各第２仕切部は、第１仕切部から離れるに従って第１方向の両端側に斜めに傾斜している。従って、各第２仕切部が第１仕切部から離れるに従って第１方向の両端側に傾斜していることにより、寝返り時における使用者の頭部及び首が第２仕切部を交差する頻度を減らすことができる。よって、頭部及び首が硬い第２仕切部を交差しにくくすることができるので寝返り性を良好にすることができる。
【００１１】
内部空間は、一対の第２仕切部のそれぞれの第１方向の両端側に位置する一対の第１内部空間と、一対の第１内部空間の間に位置する第２内部空間と、を含んでおり、内容物は、各第１内部空間に収容される柔軟性素材と、第２内部空間において側地の表面の裏側に接触し、柔軟性素材よりも硬いシート材と、を含んでもよい。この場合、一対の第２仕切部の間に使用者の頭部が載せられるときに、頭部が側地を介して柔軟性素材よりも硬いシート材に接触する。よって、硬いシート材に側地を介して頭部が接触することにより、頭部の沈み込みを抑えて寝返りをスムーズに行うことができる。また、各第２仕切部の第１方向の両端側に位置する各第１内部空間に柔軟性素材が収容される。従って、使用者が寝返りを打って頭部が第２仕切部に達したときに使用者の頬が柔軟性素材の上部に載せられる。よって、第２仕切部に達して横向き寝となった使用者の頬を柔軟性素材に沈み込ませることができる。従って、横向き寝のときの頬への圧迫を減らすことができると共に、横向き寝時における枕からの頭部の脱落を抑制することができる。
【００１２】
シート材は、側地の表面の裏側に接触するメッシュ材を含んでもよい。この場合、一対の第２仕切部の間に使用者の頭部が載せられるときに、頭部が側地を介してメッシュ材に接触する。よって、頭部が載せられる領域の通気性を高めることができる。従って、頭部に熱及び湿気をこもりにくくすることができ、頭部の蒸れを抑制することができるので、使用者の寝心地を良好にすることができる。
【００１３】
内部空間は、一対の第１内部空間の下側、及び第２内部空間の下側に位置する第３内部空間を含んでおり、内容物は、第３内部空間に収容される粒状体を含んでもよい。この場合、第１内部空間及び第２内部空間の下部に位置する第３内部空間に粒状体が収容される。従って、一対の第１内部空間又は第２内部空間の上方に載せられる使用者の頭部を粒状体によってしっかりと支えることができる。
【発明の効果】
【００１４】
本発明によれば、就寝時において寝返りをしやすくすることができる。
【図面の簡単な説明】
【００１５】
【図１】図１は、実施形態に係る枕の側地の表側を示す斜視図である。
【図２】図２は、図１の側地の裏側を示す斜視図である。
【図３】図３は、図１の側地のファスナーが設けられた側面を示す図である。
【図４】図４（ａ）は、図１の側地の内部に設けられる内地の表側を示す斜視図である。図４（ｂ）は、図４（ａ）の内地の裏側を示す斜視図である。
【図５】図５は、図４の内地を模式的に示す平面図である。
【図６】図６は。図１のVI−VI線断面図である。
【図７】図７は、図１のVII−VII線断面図である。
【発明を実施するための形態】
【００１６】
以下では、図面を参照しながら本発明に係る枕の実施形態について説明する。本発明は、下記の例示に限定されるものではなく、特許請求の範囲に示され、特許請求の範囲と均等の範囲内における全ての変更が含まれることが意図される。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１７】
図１及び図２に示されるように、本実施形態に係る枕１は側地１０を備える。側地１０の内部空間Ｓ（図６又は図７参照）には内容物２０が収容され、枕１は内部空間Ｓを仕切る複数の仕切部３０を備える。側地１０は、全体的に直方体状（平面視において長方形状）を成しており、高い柔軟性を有している。
【００１８】
本実施形態において、側地１０にはキルティングが施されている。このように、側地１０にキルティングが施されることにより、側地１０の保温性を高めると共にデザイン性が高められている。枕１は、例えば、汚れ防止のための枕カバーに収容された状態で使用される枕本体である。一例として、枕１は、マットレス又は敷き布団等の敷き寝具の上に載せられて使用される。
【００１９】
枕１は、第１方向Ｄ１に延在する一対の長辺２と、第１方向Ｄ１に交差する第２方向Ｄ２に延在する一対の短辺３とを有する。第１方向Ｄ１は枕１の長手方向であり、第２方向Ｄ２は枕１の幅方向である。例えば、第１方向Ｄ１及び第２方向Ｄ２は互いに直交している。長辺２は、第２方向Ｄ２の一方側に位置する第１長辺２ｂと、第２方向Ｄ２の他方側に位置する第２長辺２ｃとを含む。また、短辺３は、第１方向Ｄ１の一方側（図１では左側）に位置する第１短辺３ｂと、第１方向Ｄ１の他方側に位置する第２短辺３ｃとを含む。
【００２０】
例えば、第１長辺２ｂは第１方向Ｄ１に沿って直線状に延びており、第２長辺２ｃは第１方向Ｄ１の中央に向かうに従って第２方向Ｄ２の中央側に湾曲している。第２長辺２ｃは、その第１方向Ｄ１の中央部分に第２方向Ｄ２の中央側に窪む凹部２ｄを備えており、凹部２ｄは緩やかに曲線状に湾曲している。第２長辺２ｃは、例えば、使用者Ｍ（図５参照）の首Ｍ１が載せられる部位である。第２長辺２ｃは、凹部２ｄを有することによって首Ｍ１を載せやすい形状とされている。
【００２１】
第１短辺３ｂ及び第２短辺３ｃのそれぞれは、例えば、第２方向Ｄ２に直線状に延びており、側地１０の表面１０ｂ及び裏面１０ｃのそれぞれに紐状の補強部３ｄ（図１及び図２の太字部分）を有する。側地１０の表面１０ｂは、表面１０ｂの中心Ｏ１を通り第２方向Ｄ２に延びる中心軸線Ｌ１に対して対称な形状とされている。また、側地１０の裏面１０ｃは、裏面１０ｃの中心Ｏ２を通り第２方向Ｄ２に延びる中心軸線Ｌ２に対して対称な形状とされている。
【００２２】
例えば、側地１０の第１方向Ｄ１の長さは、４０ｃｍ以上且つ９０ｃｍ以下であり、５０ｃｍ以上且つ８０ｃｍ以下であってもよいし、６０ｃｍ以上且つ７０ｃｍ以下であってもよく、一例として６３ｃｍである。側地１０の第２方向Ｄ２の長さは、２０ｃｍ以上且つ７０ｃｍ以下であり、３０ｃｍ以上且つ６０ｃｍ以下であってもよいし、４０ｃｍ以上且つ５０ｃｍ以下であってもよく、一例として４３ｃｍである。但し、これらの長さは適宜変更可能である。側地１０の材料は、例えば、ポリエステルであってもよいし、ダンボールニット（多層構造編地）を含んでいてもよい。この場合、側地１０の保温性及び耐久性を高めることができると共に、使い心地を良好にすることが可能となる。
【００２３】
仕切部３０は、第１短辺３ｂから第２短辺３ｃまで延びる第１仕切部３１と、第１仕切部３１から第１長辺２ｂまで延びると共に第１方向Ｄ１に沿って並ぶ一対の第２仕切部３２とを含む。例えば、第１仕切部３１の第１長辺２ｂ側は使用者Ｍの頭部Ｍ２（図５参照）が載せられる部位であり、一対の第２仕切部３２の第１方向Ｄ１の両端側は横向き寝時の使用者Ｍの頬Ｍ３が載せられる部位である。例えば、第１仕切部３１の第２長辺２ｃ側は使用者Ｍの首Ｍ１が載せられる部位である。
【００２４】
一例として、外力が付与されていない状態において、一対の第２仕切部３２の第１方向Ｄ１の両端側（頬Ｍ３が載せられる部位）は、第１仕切部３１の第２長辺２ｃ側（首Ｍ１が載せられる部位）よりも盛り上がっている（膨らんでいる）。第１仕切部３１の第２長辺２ｃ側（首Ｍ１が載せられる部位）は、一対の第２仕切部３２の間の部位（頭部Ｍ２が載せられる部位）よりも盛り上がっている（膨らんでいる）。
【００２５】
このように、一対の第２仕切部３２の第１方向Ｄ１の両端側が盛り上がっていることにより、横向き寝時における使用者Ｍの頭部Ｍ２及び頬骨をやさしく包み込むことができると共に、頭部Ｍ２の枕１からの脱落を抑制することができる。また、第１仕切部３１の第２長辺２ｃ側が盛り上がっていることにより、神経等の複雑な組織が通る首Ｍ１をより確実に保護することができる。更に、一対の第２仕切部３２の間の部位が盛り上がっていないことにより、頭部Ｍ２の沈み込みを抑えて寝返りをスムーズに行うことができる。
【００２６】
第１仕切部３１は、例えば、側地１０の内部空間Ｓにおいて表面１０ｂから裏面１０ｃまで延びており、例えば、側地１０の全体を第２方向Ｄ２の一方側（例えば図１の上側）及び他方側（例えば図１の下側）の領域に分断している。また、第２仕切部３２は、例えば、側地１０の表面１０ｂ側を第１方向Ｄ１の一方側及び他方側に分断しており、側地１０の裏面１０ｃには第２仕切部３２は形成されていない。
【００２７】
第１仕切部３１は、側地１０の第１方向Ｄ１の中央に向かうに従って側地１０の第２方向Ｄ２の中央側に湾曲している。例えば、第１仕切部３１は円弧状に湾曲している。各第２仕切部３２は、第１仕切部３１から離れるに従って側地１０の第１方向Ｄ１の両端側に向かって斜めに傾斜している。すなわち、一対の第２仕切部３２は、第１方向Ｄ１及び第２方向Ｄ２の双方に傾斜する方向であって、第１仕切部３１から離れるに従って互いに離間する方向に延びている。例えば、各第２仕切部３２は直線状に延びている。
【００２８】
仕切部３０は、更に、側地１０の裏面１０ｃにおいて第１方向Ｄ１及び第２方向Ｄ２の双方に傾斜する方向に延びる一対の第３仕切部３３を含んでいてもよい。一対の第３仕切部３３は、例えば、裏面１０ｃの中心Ｏ２の第１長辺２ｂ寄りの位置に設けられており、内部空間Ｓの一部を仕切っている。一対の第３仕切部３３は、一対の第２仕切部３２の間に設けられ、中心軸線Ｌ２に対して互いに対称に配置されていてもよい。一例として、第３仕切部３３は、第１方向Ｄ１の中央に向かうに従って裏面１０ｃの中心Ｏ２側に傾斜している。
【００２９】
第１仕切部３１は、側地１０の表面１０ｂ及び裏面１０ｃに縫い込まれている。第２仕切部３２は側地１０の表面１０ｂに縫い込まれており、第３仕切部３３は側地１０の裏面１０ｃに縫い込まれている。表面１０ｂには第１仕切部３１及び第２仕切部３２のそれぞれの縫い目が形成されており、裏面１０ｃには第１仕切部３１及び第３仕切部３３のそれぞれの縫い目が形成されている。
【００３０】
第１仕切部３１、第２仕切部３２及び第３仕切部３３のそれぞれは、例えば、側地１０の厚さ方向である方向Ｄ３（図３参照）に延びる中仕切り生地であり、内部空間Ｓを複数の領域に仕切るマチ部である。例えば、第１仕切部３１、第２仕切部３２及び第３仕切部３３のそれぞれの材料は、ポリエステル及び綿の少なくともいずれかを含む。
【００３１】
枕１（側地１０）の内部空間Ｓは、例えば、一対の第２仕切部３２のそれぞれの第１方向Ｄ１の両端側に位置する一対の第１内部空間Ｓ１と、一対の第２仕切部３２の間に位置する第２内部空間Ｓ２と、第１内部空間Ｓ１及び第２内部空間Ｓ２の下側に位置する第３内部空間Ｓ３と、第１仕切部３１よりも第２長辺２ｃ側に位置する第４内部空間Ｓ４とを含む。
【００３２】
本実施形態において、第１仕切部３１よりも第１長辺２ｂ側であって且つ一対の第２仕切部３２の間の部分は、第２内部空間Ｓ２と第３内部空間Ｓ３とが上下に並ぶ２層構造になっている。第１仕切部３１よりも第１長辺２ｂ側であって且つ各第２仕切部３２の第１方向Ｄ１の両端側の部分は、第１内部空間Ｓ１と第３内部空間Ｓ３とが上下に並ぶ２層構造になっている。第１仕切部３１よりも第２長辺２ｃ側の部分は、第４内部空間Ｓ４の１層構造になっている。
【００３３】
例えば、第１内部空間Ｓ１は、側地１０の内部空間Ｓの表面１０ｂ側のみに設けられており、第１内部空間Ｓ１の裏面１０ｃ側には第３内部空間Ｓ３が設けられる。第３内部空間Ｓ３は、第１内部空間Ｓ１の下部、及び第２内部空間Ｓ２の下部に延びている。第１内部空間Ｓ１と第２内部空間Ｓ２とは第２仕切部３２によって仕切られており、第１内部空間Ｓ１、第２内部空間Ｓ２及び第３内部空間Ｓ３と第４内部空間Ｓ４とは第１仕切部３１によって仕切られている。また、第３内部空間Ｓ３の一部が第３仕切部３３によって仕切られている。
【００３４】
枕１（側地１０）の第１短辺３ｂ及び第２短辺３ｃのそれぞれには、第１内部空間Ｓ１を開閉する第１ファスナー４１が設けられている。例えば、第１方向Ｄ１に沿って一対の第１ファスナー４１が配置されており、一対の第１ファスナー４１は側地１０の表面１０ｂの中心Ｏ１に対して互いに対称となる位置に配置されていてもよい。各第１ファスナー４１は、例えば、第２方向Ｄ２の中央において第２方向Ｄ２に沿って延在している。
【００３５】
枕１（側地１０）の裏面１０ｃには、第３内部空間Ｓ３を開閉する第２ファスナー４２と、第４内部空間Ｓ４を開閉する第３ファスナー４３とが設けられる。第２ファスナー４２は第１仕切部３１から見て第１長辺２ｂ側に設けられており、第３ファスナー４３は第１仕切部３１から見て第２長辺２ｃ側に設けられる。第２ファスナー４２及び第３ファスナー４３は、側地１０の中心Ｏ２に対して互いに対称となる位置に配置されていてもよい。第２ファスナー４２及び第３ファスナー４３のそれぞれは、例えば、第１方向Ｄ１の中央において第１方向Ｄ１に延在している。
【００３６】
例えば、各第１ファスナー４１の第２方向Ｄ２の長さは、１５ｃｍ以上且つ２５ｃｍ以下であり、一例として１９ｃｍである。また、第２ファスナー４２及び第３ファスナー４３のそれぞれの第１方向Ｄ１の長さは、１５ｃｍ以上且つ２５ｃｍ以下であってもよく、一例として１９ｃｍである。
【００３７】
図３、図４（ａ）及び図４（ｂ）に示されるように、枕１は、側地１０の内部に縫い込まれている内地５０を備えており、内地５０は第４ファスナー４４の内部において縫い込まれている。第４ファスナー４４は、側地１０の第１長辺２ｂに設けられており、第１長辺２ｂにおいて第１方向Ｄ１に延在している。例えば、第４ファスナー４４の第１方向Ｄ１の長さは、５０ｃｍ以上且つ６０ｃｍ以下であり、一例として５４ｃｍである。例えば、第１ファスナー４１、第２ファスナー４２、第３ファスナー４３及び第４ファスナー４４は、いずれも側地１０の表面１０ｂ以外の箇所に配置されている。これにより側地１０の各ファスナーが使用者の身体に当たって寝心地が劣化することを抑制することができる。但し、ファスナーの長さ、数及び配置態様は適宜変更可能である。
【００３８】
内地５０の材料は、例えば、ポリエステル及び綿の少なくともいずれか（又はポリエステルと綿との混紡素材）を含んでいる。側地１０の内部空間Ｓは、例えば、一対の第２仕切部３２の第１方向Ｄ１の両端側に位置する一対の第１内部空間Ｓ１と、一対の第１内部空間Ｓ１の間に位置する第２内部空間Ｓ２（図７参照）と、第１内部空間Ｓ１及び第２内部空間Ｓ２の下部（裏面１０ｃ側）に位置する第３内部空間Ｓ３と、第１仕切部３１の第２長辺２ｃ側に位置する第４内部空間Ｓ４とを含む。内地５０は、一対の第１内部空間Ｓ１、第３内部空間Ｓ３及び第４内部空間Ｓ４を含んでおり、第２内部空間Ｓ２は内地５０と側地１０の表面１０ｂの裏側との間に設けられる。内地５０の形状は、側地１０の形状と略同一とされている。一例として、内地５０は、前述した第１仕切部３１と一対の第２仕切部３２とを含む。
【００３９】
図１、図２及び図４に示されるように、内地５０は、第１ファスナー４１が開けられた状態で側地１０の外方に突出させることが可能な筒状の第１布部５１と、第２ファスナー４２が開けられた状態で側地１０の外方に突出させることが可能な筒状の第２布部５２と、第３ファスナー４３が開けられた状態で側地１０の外方に突出させることが可能な筒状の第３布部５３とを備える。第１布部５１、第２布部５２及び第３布部５３は、第１ファスナー４１、第２ファスナー４２及び第３ファスナー４３のそれぞれが閉じている状態では側地１０の内部に丸められた状態で収容されている。
【００４０】
第１布部５１、第２布部５２及び第３布部５３は、第１ファスナー４１、第２ファスナー４２及び第３ファスナー４３のそれぞれが開放された状態で側地１０の内部から引っ張り出されることにより側地１０から突出した状態となる。この状態で第１布部５１、第２布部５２又は第３布部５３を介して後述する内容物２０（図６又は図７参照）を出し入れすることにより、内容物２０の量を調整可能である。第１布部５１は、例えば、内地５０の第１方向Ｄ１の両端のそれぞれにおいて第２方向Ｄ２に延びており、第１布部５１の第２方向Ｄ２の長さは１０ｃｍ以上且つ２０ｃｍ以下（一例として１６ｃｍ）である。
【００４１】
第２布部５２は、側地１０の裏面１０ｃの第１長辺２ｂ側において第１方向Ｄ１に延びている。第３布部５３は、側地１０の裏面１０ｃの第２長辺２ｃ側において第１方向Ｄ１に延びている。第２布部５２及び第３布部５３のそれぞれの第１方向Ｄ１の長さは、例えば、１０ｃｍ以上且つ２０ｃｍ以下（一例として１６ｃｍ）である。なお、第２布部５２及び第３布部５３は、裏面１０ｃの中心Ｏ２を通り第１方向Ｄ１に沿って延びる中心軸線Ｌ３に対して互いに対称となる位置に配置されていてもよい。
【００４２】
図４（ａ）及び図５に示されるように、側地１０の内部に収容される内容物２０はシート材６０を含んでおり、シート材６０は側地１０の表面１０ｂの内側且つ一対の第２仕切部３２の間に位置する第２内部空間Ｓ２（図７参照）に配置される。シート材６０は、例えば第４ファスナー４４（図３参照）を開放して、第２内部空間Ｓ２に出し入れ可能に設けられる。シート材６０は、内地５０とは別体とされており、一対の第２仕切部３２の間の第２内部空間Ｓ２に載せられるシート状部材である。例えば、シート材６０は、柔軟性素材２１よりも硬い素材によって構成されている。
【００４３】
シート材６０は、例えば、側地１０の表面１０ｂの裏側に接触するように配置される。一例として、シート材６０は、内地５０における第３内部空間Ｓ３を形成する部位の上面に配置される。すなわち、シート材６０は、内地５０の第３内部空間Ｓ３を画成する部位と側地１０の表面１０ｂの裏側との間に配置される。シート材６０は、例えば、メッシュ材６５を含んでおり、メッシュ材６５は、側地１０及び内地５０と比較して目が粗い生地によって形成されている。従って、シート材６０では通気性が高められている。
【００４４】
シート材６０は、例えば、メッシュ材６５の外縁にアドラー巻き（ヘム巻き）がなされて形成されている。メッシュ材６５の厚さ（方向Ｄ３の長さ）は、例えば、０．５ｃｍ以上且つ２．０ｃｍ以下であり、一例として１．０ｃｍである。メッシュ材６５は、例えば、ハニカムメッシュ素材であり、正六角形状の微細な孔が多数形成されていてもよい。メッシュ材６５の材料は、一例として、ポリエステルである。メッシュ材６５は、上側及び下側のそれぞれに位置する一対の網状部材と、一対の網状部材の間に挟まれた樹脂製の線状部材（例えば、線状の三次元樹脂構造体）とを含んでいてもよい。
【００４５】
例えば、シート材６０は、上底６１、下底６２及び一対の脚６３を有する台形状とされており、上底６１は第１仕切部３１の形状に合わせて曲線状とされていてもよい。上底６１の長さは、例えば、１０ｃｍ以上且つ２０ｃｍ以下であり、一例として１６ｃｍである。下底６２の長さは、例えば、３５ｃｍ以上且つ４５ｃｍ以下であり、一例として４２ｃｍである。また、シート材６０を成す台形の高さＨは、例えば、２０ｃｍ以上且つ３０ｃｍ以下であり、一例として２５ｃｍである。但し、これらの長さ及び高さの値は適宜変更可能である。
【００４６】
図６は、図１のVI−VI線断面図である。内地５０の内側の内部空間Ｓには内容物２０が収容されており、内容物２０は、例えば、柔軟性素材２１、粒状体２２及び粒状体２３を含む。図１及び図６に示されるように、枕１の第１方向Ｄ１の両端側のそれぞれでは、例えば、第１仕切部３１よりも第１長辺２ｂ側の下部に第３内部空間Ｓ３が形成されている。
【００４７】
第１内部空間Ｓ１には、柔軟性素材２１が収容されており、柔軟性素材２１は、例えば、ポリエチレン製の粒綿を含む綿（わた）、ウレタン又は羽毛である。第１内部空間Ｓ１に収容される柔軟性素材２１の質量は、一例として、４０ｇ以上且つ５０ｇ以下である。第１内部空間Ｓ１には第１布部５１から柔軟性素材２１が出し入れされ、具体的には第１ファスナー４１が開放されて引っ張り出された筒状の第１布部５１を介して柔軟性素材２１が第１内部空間Ｓ１に出し入れされる。これにより、第１内部空間Ｓ１に収容される柔軟性素材２１の量は適宜変更可能である。
【００４８】
第３内部空間Ｓ３には、例えば、粒状体２２が収容されている。粒状体２２は、中空とされた中空粒状体であってもよい。粒状体２２が収容されることによって第３内部空間Ｓ３には多数の空隙が保持される。粒状体２２は、例えば、中空とされたパイプ材又はビーズである。一例として、粒状体２２は、円筒状を成すポリエチレン製のパイプ材である。しかしながら、粒状体２２は、例えば、蕎麦殻、ヒノキ又はアズキ等、中実粒状体であってもよい。
【００４９】
第３内部空間Ｓ３に収容される粒状体２２の質量は、例えば、４２０ｇ以上且つ５１０ｇ以下である。第３内部空間Ｓ３には第２布部５２から粒状体２２が出し入れされる。具体的には、第２ファスナー４２が開放されて引っ張り出された筒状の第２布部５２を介して粒状体２２が第３内部空間Ｓ３に出し入れされる。これにより、第３内部空間Ｓ３に収容される粒状体２２の量は適宜変更可能である。
【００５０】
図７は、図１のVII−VII線断面図である。図１、図６及び図７に示されるように、枕１の第１方向Ｄ１の中央側では、例えば、第１仕切部３１の第１長辺２ｂ側に第３内部空間Ｓ３が設けられており、第１仕切部３１の第２長辺２ｃ側に第４内部空間Ｓ４が設けられている。第４内部空間Ｓ４には、粒状体２３が収容されている。粒状体２３は、例えば、前述した粒状体２２と同様であってもよい。粒状体２３は、中空とされたパイプ材又はビーズであってもよい。
【００５１】
第４内部空間Ｓ４に収容される粒状体２３の質量は、例えば、２２０ｇ以上且つ２９０ｇ以下である。第４内部空間Ｓ４には第３布部５３から粒状体２３が出し入れされる。具体的には、第３ファスナー４３が開放されて引っ張り出された筒状の第３布部５３を介して粒状体２３が第４内部空間Ｓ４に出し入れされる。これにより、第４内部空間Ｓ４に収容される粒状体２３の量は適宜変更可能である。
【００５２】
次に、本実施形態に係る枕１から得られる作用効果について詳細に説明する。例えば図５に示されるように、枕１は、第１方向Ｄ１に延びる一対の長辺２、及び第２方向Ｄ２に延びる一対の短辺３を有する直方体状の側地１０を備え、側地１０の内部空間Ｓに内容物２０が収容されている。また、枕１は、枕１の内部空間Ｓを仕切る複数の仕切部３０を備える。
【００５３】
複数の仕切部３０は、一対の短辺３の一方（第１短辺３ｂ）から他方（第２短辺３ｃ）まで第１方向Ｄ１に延びる第１仕切部３１と、第１仕切部３１から第１長辺２ｂに向かって延びると共に第１方向Ｄ１に沿って並ぶ一対の第２仕切部３２とを含む。そして、第１仕切部３１は第１方向Ｄ１の中央に向かうに従って第２方向Ｄ２の中央側に湾曲しており、各第２仕切部３２は第１仕切部３１から離れるに従って第１方向Ｄ１の両端側に傾斜している。
【００５４】
よって、第１仕切部３１の第１長辺２ｂ側に使用者Ｍの頭部Ｍ２が載せられて、第１仕切部３１の第１長辺２ｂとの反対側（第２長辺２ｃ側）に使用者Ｍの首Ｍ１が載せられると、寝返りを打つときに使用者Ｍの頭部Ｍ２及び首Ｍ１は曲線状の第１仕切部３１に沿って円弧状に移動する。すなわち、第１仕切部３１は頭部Ｍ２及び首Ｍ１の移動軌跡Ｔに沿って設けられる。その結果、寝返り時に頭部Ｍ２及び首Ｍ１が硬い第１仕切部３１を交差する頻度を減らすと共に第１仕切部３１に沿って頭部Ｍ２及び首Ｍ１が移動するので、頭部Ｍ２及び首Ｍ１への圧迫を抑えて就寝時における寝返りをしやすくすることができる。
【００５５】
また、各第２仕切部３２は、第１仕切部３１から離れるに従って第１方向Ｄ１の両端側に斜めに傾斜している。従って、各第２仕切部３２が第１仕切部３１から離れるに従って第１方向Ｄ１の両端側に傾斜していることにより、寝返り時における使用者Ｍの頭部Ｍ２及び首Ｍ１が第２仕切部３２を交差する頻度を減らすことができる。よって、頭部Ｍ２及び首Ｍ１が硬い第２仕切部３２を交差しにくくすることができるので寝返り性を良好にすることができる。
【００５６】
図５及び図７に示されるように、内部空間Ｓは、一対の第２仕切部３２のそれぞれの第１方向Ｄ１の両端側に位置する一対の第１内部空間Ｓ１と、一対の第１内部空間Ｓ１の間に位置する第２内部空間Ｓ２と、を含んでおり、内容物２０は、各第１内部空間Ｓ１に収容される柔軟性素材２１と、第２内部空間Ｓ２において側地１０の表面１０ｂの裏側に接触し、柔軟性素材２１よりも硬いシート材６０と、を含んでもよい。この場合、一対の第２仕切部３２の間に使用者Ｍの頭部Ｍ２が載せられるときに、頭部Ｍ２が側地１０を介して柔軟性素材２１よりも硬いシート材６０に接触する。よって、硬いシート材６０に側地１０を介して頭部Ｍ２が接触することにより、頭部Ｍ２の沈み込みを抑えて寝返りをスムーズに行うことができる。
【００５７】
各第２仕切部３２の第１方向Ｄ１の両端側に位置する各第１内部空間Ｓ１に柔軟性素材２１が収容される。従って、使用者Ｍが寝返りを打って頭部Ｍ２が第２仕切部３２に達したときに使用者Ｍの頬Ｍ３が柔軟性素材２１の上部に載せられるので、第２仕切部３２に達して横向き寝となった使用者Ｍの頭部Ｍ２を柔軟性素材２１に沈み込ませることができる。従って、横向き寝のときの頬Ｍ３への圧迫を減らすことができ、頬骨をやさしく支えることができる。更に、横向き寝時における枕１からの頭部Ｍ２の脱落を抑制することができる。
【００５８】
シート材６０は、側地１０の表面１０ｂの裏側に接触するメッシュ材６５を含んでもよい。この場合、一対の第２仕切部３２の間に使用者Ｍの頭部Ｍ２が載せられるときに、頭部Ｍ２が側地１０を回してメッシュ材６５に接触する。よって、頭部Ｍ２が載せられる領域（一対の第２仕切部３２の間）の通気性を高めることができる。従って、頭部Ｍ２に熱及び湿気をこもりにくくすることができ、頭部Ｍ２の蒸れを抑制することができるので、使用者Ｍの寝心地を良好にすることができる。
【００５９】
図６及び図７に示されるように、内部空間Ｓは、一対の第１内部空間Ｓ１の下側、及び第２内部空間Ｓ２の下側に位置する第３内部空間Ｓ３を含んでおり、内容物２０は、第３内部空間Ｓ３に収容される粒状体２２を含んでもよい。この場合、第１内部空間Ｓ１及び第２内部空間Ｓ２の下部に位置する第３内部空間Ｓ３に粒状体２２が収容される。従って、一対の第１内部空間Ｓ１又は第２内部空間Ｓ２の上方に載せられる使用者Ｍの頭部Ｍ２を粒状体２２によってしっかりと支えることができる。
【００６０】
内部空間Ｓは、第１仕切部３１よりも第２長辺２ｃ側に位置する第４内部空間Ｓ４を含んでおり、内容物２０は、第４内部空間Ｓ４に収容される粒状体２３を含んでもよい。この場合、第１長辺２ｂの反対側に位置する第２長辺２ｃ側に使用者Ｍの首Ｍ１が載せられたときに、第２長辺２ｃ側の第４内部空間Ｓ４に収容された粒状体２３によって首Ｍ１が載せられる部分の通気性、及び内容物２０の流動性を高めることができる。従って、使用者Ｍの首Ｍ１をしっかりと支えると共に首Ｍ１の蒸れ及び熱のこもりを抑制することができるので、使用者Ｍに一層快適な寝心地を提供することができる。
【００６１】
仕切部３０は、第３内部空間Ｓ３の一部を仕切る第３仕切部３３を含んでいてもよい。この場合、第３内部空間Ｓ３に収容された粒状体２２の過度の流動を抑えることができる。すなわち、使用者Ｍの頭部Ｍ２の下部における粒状体２２の過度の流動を抑えることができるので、一対の第２仕切部３２の間の領域の形状を安定させることができる。従って、使用者Ｍに更に良好な寝心地を提供することができる。
【００６２】
以上、本発明に係る枕の実施形態について説明した。しかしながら、本発明は、前述した実施形態に限定されるものではなく、各請求項に記載した要旨を変更しない範囲において適宜変更可能である。すなわち、枕の各部の形状、大きさ、材料、数及び配置態様は、上記の要旨を逸脱しない範囲において適宜変更可能である。
【００６３】
例えば、前述の実施形態では、メッシュ材６５を有するシート材６０について説明した。しかしながら、シート材は、例えば、ウレタンシート又は固わたシート等、メッシュ材６５以外のものであってもよく、シート材の種類は適宜変更可能である。また、前述の実施形態では、側地１０の第１方向Ｄ１の中央側に向かうに従って第２長辺２ｃ側に傾斜する一対の第３仕切部３３について説明した。しかしながら、第３仕切部の形状、大きさ、数、材料及び配置態様は適宜変更可能である。更に、第３仕切部を省略することも可能である。
【００６４】
また、前述の実施形態では、第２内部空間Ｓ２と第３内部空間Ｓ３とが上下に並ぶ２層構造、第１内部空間Ｓ１と第３内部空間Ｓ３とが上下に並ぶ２層構造、及び第４内部空間Ｓ４の１層構造を備える枕１について説明した。しかしながら、枕の層構造の態様は上記の例に限られず適宜変更可能である。
【００６５】
また、前述の実施形態では、キルティングが施されている側地１０について説明した。しかしながら、側地にはキルティングが施されていなくてもよい。例えば、側地にはジャガード織りが施されていてもよく、側地の素材及びデザインについては適宜変更可能である。
【００６６】
また、前述の実施形態では、内部空間Ｓが第１内部空間Ｓ１、第２内部空間Ｓ２、第３内部空間Ｓ３及び第４内部空間Ｓ４を含んでおり、内部空間Ｓが４分割されている例について説明した。しかしながら、内部空間の分割数は４でなくてもよく、２分割、３分割又は５分割以上であってもよい。内部空間に収容される内容物についても、柔軟性素材２１、粒状体２２及び粒状体２３を含む内容物２０に限られず適宜変更可能である。更に、前述の実施形態では、仕切部３０が第１仕切部３１、第２仕切部３２及び第３仕切部３３を含む例について説明した。しかしながら、仕切部の数、形状、大きさ、材料及び配置態様は、前述した要旨の範囲内において適宜変更可能である。
【符号の説明】
【００６７】
１…枕、２…長辺、２ｂ…第１長辺、２ｃ…第２長辺、２ｄ…凹部、３…短辺、３ｂ…第１短辺、３ｃ…第２短辺、３ｄ…補強部、１０…側地、１０ｂ…表面、１０ｃ…裏面、２０…内容物、２１…柔軟性素材、２２，２３…粒状体、３０…仕切部、３１…第１仕切部、３２…第２仕切部、３３…第３仕切部、４１…第１ファスナー、４２…第２ファスナー、４３…第３ファスナー、４４…第４ファスナー、５０…内地、５１…第１布部、５２…第２布部、５３…第３布部、６０…シート材、６１…上底、６２…下底、６３…脚、６５…メッシュ材、Ｄ１…第１方向、Ｄ２…第２方向、Ｄ３…方向、Ｌ１，Ｌ２…中心軸線、Ｍ…使用者、Ｍ１…首、Ｍ２…頭部、Ｍ３…頬、Ｏ１，Ｏ２…中心、Ｓ…内部空間、Ｓ１…第１内部空間、Ｓ２…第２内部空間、Ｓ３…第３内部空間、Ｓ４…第４内部空間。
【図１】
2020115996.tif 000003
【図２】
2020115996.tif 000004
【図３】
2020115996.tif 000005
【図４】
2020115996.tif 000006
【図５】
2020115996.tif 000007
【図６】
2020115996.tif 000008
【図７】
2020115996.tif 000009